(57)【特許請求の範囲】
【請求項１】
壁用パネルを複数枚連結して壁を構築したパネル壁であって、
前記壁用パネルは、枠体に金属製の外板を貼付したパネルであって、他のパネルと連結するための連結部を有しており、
前記壁用パネルは、その縦、横、厚さが同一の基準寸法に仕上げられており、
前記壁用パネルは、下地塗装として金属表面への付着性の高い下地調整材を塗布し、該下地塗装の表面に合成樹脂と砂とパルプを含む上塗り化粧材が塗布されている
ことを特徴とするパネル壁。
【請求項２】
前記壁用パネルは、その内部に軽量発泡材を充填したものであり、
前記壁用パネルの一部が任意の形状に切断されており、
その切断された断面に軽金属薄板が貼り付けられており、
該壁用パネルの外表面および前記軽金属薄板に、上塗り化粧材が塗布されている
ことを特徴とする請求項１記載のパネル壁。
【請求項３】
支柱を介して前記壁用パネルを連結して壁を構築したパネル壁であって、
前記支柱と前記壁用パネルを連結する連結部分に、その連結部分の隙間を覆うカバーが取付けられており、
該カバーの外表面は、前記支柱の外表面および前記壁用パネルの外表面と面一になっており、
該カバーとその側方に位置する支柱のカバー側近傍および該カバーの他方に位置する壁用パネルのカバー側近傍からなる領域に薄膜テープが貼付されており、
該薄膜テープの外表面から、上塗り化粧材が塗布されている
ことを特徴とする請求項１記載のパネル壁。
【請求項４】
前記カバーが、前記連結部分に弾性係止片によって嵌合係止されている
ことを特徴とする請求項３記載のパネル壁。
【請求項５】
コーナー柱を介して前記壁用パネルを連結して壁を構築したパネル壁であって、
該コーナー柱は、前記壁用パネルと前記壁用パネルの連結角度を変えて連結する可変連結部を備え、
前記壁用パネルは、その端縁に前記可変連結部の相手部材である被連結部を備えており、
前記可変連結部が、前記コーナー柱の柱本体に設けられる、凸形円弧面を有する柱状部材であり、
前記被連結部が、前記壁用パネルの端縁に設けられる、凹形円弧面を有する端部材であり、
前記柱状部材と前記端部材は、前記凸形円孤面と前記凹形円孤面を面接触させた状態で、互いに結合可能であり、
前記パネル壁の一側面において、前記可変連結部の外表面と前記壁用パネルの外表面が面一であり、前記被連結部の外表面と前記壁用パネルの外表面が面一であり、前記可変連結部の外表面と前記被連結部の外表面が面一となるように、前記可変連結部と前記被連結部が配置されている
ことを特徴とする請求項１記載のパネル壁。
【請求項６】
前記可変連結部の外面と前記被連結部の外面とにわたって薄膜テープが貼付されており、
該薄膜テープの外表面から上塗り化粧材が塗布されている
ことを特徴とする請求項５記載のパネル壁。
【請求項７】
前記壁用パネルの全部または一部が、湾曲した表外板および湾曲した裏外板と、これら表裏外板を固定する枠体とからなる湾曲単位パネルを任意数連結したものである
ことを特徴とする請求項１、２、３、４、５または６記載のパネル壁。
【請求項８】
前記壁用パネルの全部または一部が、意匠性加工を施したものである
ことを特徴とする請求項１、２、３、４、５または６記載のパネル壁。
【請求項９】
前記壁用パネルの全部または一部が、機能性部材を取付けたものである
ことを特徴とする請求項１、２、３、４、５または６記載のパネル壁。
【請求項１０】
前記壁用パネルの全部または一部が、アルミニウム材を用いたものである
ことを特徴とする請求項１、２、３、４、５、６または７記載のパネル壁。
【発明の詳細な説明】
【技術分野】
【０００１】
本発明は、パネル壁に関する。さらに詳しくは、建物内の固定壁や可動式の壁（たとえば、パーティション）を構築するための壁用パネルを用いて構築したパネル壁に関する。
【背景技術】
【０００２】
特許文献１の間仕切壁パネルは、中空シートパネルの外表面にアルミ薄板を積層したもので、軽量化と遮音性を目的としたものである。
しかるに、この特許文献１の従来技術はパネルを単体で用いる技術思想しか開示しておらず、複数のパネルを組合せて大面積の壁に仕上げる発想のものではない。
【０００３】
特許文献２のパネルは吸音を目的とし、特許文献３〜５のパネルは不燃性を目的とし、特許文献６のパネルは装飾性を目的としており、従来のパネルには各種の機能や性能を付与したものがある。しかし、これらのパネルも、複数のパネルを組合せて大面積の壁に仕上げる発想のものではない。
【先行技術文献】
【特許文献】
【０００４】
【特許文献１】特開平９−１００６００号公報
【特許文献２】特開平１０−１８３８１０号公報
【特許文献３】特開２００５−２５４４７８号公報
【特許文献４】特開２００６−８３５０７号公報
【特許文献５】特開２００６−１６１２２号公報
【特許文献６】特開２００６−３１６４９９号公報
【発明の概要】
【発明が解決しようとする課題】
【０００５】
本発明は上記事情に鑑み、軽量で、美的外観に富み、施工性がよく、建物内のデザインに合致した意匠性を発揮することができるパネル壁を提供することを目的とする。
【課題を解決するための手段】
【０００６】
第１発明のパネル壁は、壁用パネルを複数枚連結して壁を構築したパネル壁であって、前記壁用パネルは、枠体に金属製の外板を貼付したパネルであって、他のパネルと連結するための連結部を有しており、前記壁用パネルは、その縦、横、厚さが同一の基準寸法に仕上げられており、前記壁用パネルは、下地塗装として金属表面への付着性の高い下地調整材を塗布し、該下地塗装の表面に合成樹脂と砂とパルプを含む上塗り化粧材が塗布されていることを特徴とする。
第２発明のパネル壁は、第１発明において、前記壁用パネルは、その内部に軽量発泡材を充填したものであり、前記壁用パネルの一部が任意の形状に切断されており、その切断された断面に軽金属薄板が貼り付けられており、該壁用パネルの外表面および前記軽金属薄板に、上塗り化粧材が塗布されていることを特徴とする。
第３発明のパネル壁は、第１発明において、支柱を介して前記壁用パネルを連結して壁を構築したパネル壁であって、前記支柱と前記壁用パネルを連結する連結部分に、その連結部分の隙間を覆うカバーが取付けられており、該カバーの外表面は、前記支柱の外表面および前記壁用パネルの外表面と面一になっており、該カバーとその側方に位置する支柱のカバー側近傍および該カバーの他方に位置する壁用パネルのカバー側近傍からなる領域に薄膜テープが貼付されており、該薄膜テープの外表面から、上塗り化粧材が塗布されていることを特徴とする。
第４発明のパネル壁は、第３発明において、前記カバーが、前記連結部分に弾性係止片によって嵌合係止されていることを特徴とする。
第５発明のパネル壁は、第１発明において、コーナー柱を介して前記壁用パネルを連結して壁を構築したパネル壁であって、該コーナー柱は、前記壁用パネルと前記壁用パネルの連結角度を変えて連結する可変連結部を備え、前記壁用パネルは、その端縁に前記可変連結部の相手部材である被連結部を備えており、前記可変連結部が、前記コーナー柱の柱本体に設けられる、凸形円弧面を有する柱状部材であり、前記被連結部が、前記壁用パネルの端縁に設けられる、凹形円弧面を有する端部材であり、前記柱状部材と前記端部材は、前記凸形円孤面と前記凹形円孤面を面接触させた状態で、互いに結合可能であり、前記パネル壁の一側面において、前記可変連結部の外表面と前記壁用パネルの外表面が面一であり、前記被連結部の外表面と前記壁用パネルの外表面が面一であり、前記可変連結部の外表面と前記被連結部の外表面が面一となるように、前記可変連結部と前記被連結部が配置されていることを特徴とする。
第６発明のパネル壁は、第５発明において、前記可変連結部の外面と前記被連結部の外面とにわたって薄膜テープが貼付されており、該薄膜テープの外表面から上塗り化粧材が塗布されていることを特徴とする。
第７発明のパネル壁は、第１、第２、第３、第４、第５または第６発明において、前記壁用パネルの全部または一部が、湾曲した表外板および湾曲した裏外板と、これら表裏外板を固定する枠体とからなる湾曲単位パネルを任意数連結したものであることを特徴とする。
第８発明のパネル壁は、第１、第２、第３、第４、第５または第６発明において、前記壁用パネルの全部または一部が、意匠性加工を施したものであることを特徴とする。
第９発明のパネル壁は、第１、第２、第３、第４、第５または第６発明において、前記壁用パネルの全部または一部が、機能性部材を取付けたものであることを特徴とする。
第１０発明のパネル壁は、第１、第２、第３、第４、第５、第６または第７発明において、前記壁用パネルの全部または一部が、アルミニウム材を用いたものであることを特徴とする。
【発明の効果】
【０００７】
第１発明によれば、下地調整材は金属表面への付着性が高いので上塗り化粧材を確実に付着させ、剥離等が生じないようにできる。上塗り化粧材は砂とパルプを含むので、自然の風合いと嵩高感を演出できる。
第２発明によれば、壁用パネルの一部を任意の形状に切断することにより変化のあるデザインの壁となる。また、壁用パネルの一部を切断しても壁用パネルの内部に軽量発泡材が充填されているので、目地処理が可能であり、上塗り化粧材を塗布して美麗な外観に仕上げることができる。
第３発明によれば、支柱と壁用パネルの間はカバーで塞がれるので目地処理が簡便に行える。そして、カバーが支柱と壁用パネルに対し、外表面において面一なので段差を無くして目地溝を小さくでき、その小さな目地溝の上から薄膜テープが貼付されているので、目地溝は外観的には見えないものとなる。そして、その上面から上塗り化粧材が塗布されているので、他の平坦部分の仕上がりと全く同様の仕上りとなって、美麗な外観が得られる。
第４発明によれば、カバーが弾性係止片によって嵌合係止するものなので、手で押し込むだけで連結部分に固定できる。このため、パネル壁の施工性が高くなる。
第５発明によれば、コーナー柱の可変連結部に対しパネルの被連結部の連結角度を変えることにより、隣接するパネル同士を一直線につなぐだけでなく、任意の角度に折れ曲がった状態でつなぐことができる。このため、建物の形状に合わせてパネル壁を構築することができる。また、コーナー柱の外表面と壁用パネルの外表面とが面一になり、コーナー柱と壁用パネルの間で段差が生じない。
第６発明によれば、コーナー柱の可変連結部と壁用パネルの被連結部における外面に薄膜テープを貼付すると、可変連結部と被連結部の間の溝が埋められ平坦となる。このため、その上面から上塗り化粧材を塗布すると、他の平坦部分の仕上がりと全く同様の仕上りとなって、美麗な外観が得られる。
第７発明によれば、湾曲単位パネルが湾曲しているので、これを連結すると湾曲した曲面パネルが得られる。また、連結する湾曲単位パネルの数を変えることにより曲面パネルの幅寸法、すなわち湾曲角度を任意に変更できる。
第８発明によれば、意匠性加工によって種々の美的外観を壁に与えることができるので、建物内のデザインにマッチした壁を実現できる。
第９発明によれば、機能性部材を取付けることによって照明装置や手摺などを付加して従来同様のインテリア機能を発揮できる。
第１０発明によれば、アルミニウム材は押出し成形が可能なので、低コストで壁用パネルを製造でき、かつ軽量化も達成できる。
【図面の簡単な説明】
【０００８】
【図１】壁用パネルの一例であって、（Ａ）は一部破断正面図、（Ｂ）は平面図、（Ｃ）は側面図である。
【図２】２枚の壁用パネルの連結構造の一例を示す横断面図である。
【図３】第１の基準寸法に属する壁用パネル４点の斜視図である。
【図４】第２の基準寸法に属する壁用パネル４点の斜視図である。
【図５】図４に示す曲面パネル８の拡大斜視図である。
【図６】壁用パネルを用いて構築したパネル壁の施工手順の説明図である。
【図７】支持脚の説明図であり、（Ａ）は平面図、（Ｂ）は正面図、（Ｃ）は側面図である。
【図８】支持脚を使って設立したパーテーションの説明図であって、（Ａ）は平面図、（Ｂ）は正面図、（Ｃ）は側面図である。
【図９】壁用パネルを用いて構築したパーテーションを示す斜視図である。
【図１０】曲面パネル８の組合せ例の説明図である。
【図１１】角開口パネル２の他の例であって、（Ａ）は正面図、（Ｂ）は平面図である。
【図１２】丸開口パネル３の他の例であって、（Ａ）は正面図、（Ｂ）は平面図である。
【図１３】現場加工用パネル４の正面図である。
【図１４】図１３のａ‐ａ線断面図である。
【図１５】図１３のｂ‐ｂ線断面図である。
【図１６】現場加工用パネル４を用いたパネル壁の施工手順の説明図である。
【図１７】パネル壁の一例と目地処理方法を示す横断面図である。
【図１８】パネル壁の他の例と目地処理方法を示す横断面図である。
【図１９】パネル壁の更なる他の例と目地処理方法を示す横断面図である。
【図２０】パネル壁の更なる他の例を示し、（Ａ）は正面図、（Ｂ）は平面図である。
【図２１】図２０の一部（II部分）拡大横断面図である。
【図２２】コーナー柱６０と被連結部６５の分離拡大図である。
【図２３】図２１に示す２枚のパネルを直列に連結した状態を示す拡大横断面図である。
【図２４】図２１に示す２枚のパネルを７０°の連結角度で連結した状態を示す拡大横断面図である。
【発明を実施するための形態】
【０００９】
（本発明の特徴）
本発明の特徴は、壁を構築するのにモジュール化された壁用パネルを用いた点にある。このモジュール化の意味は、統一化された基準寸法の縦、横、厚さ寸法をもつように各壁用パネルが構成され、互いに連結して、高さを変え、かつ左右方向に長さを延ばすことが可能となっていることにある。
【００１０】
基準寸法は一つでもよく、二つ以上でもよい。ただし、基準寸法が余り多数にわたると施工の容易さが失われるので、施工性の面からは少ない方がよいが、とくに制限があるわけではない。
【００１１】
各壁用パネルの連結は、パネルとは別部材である支柱を介して行ってもよく、パネル同士を直接結合してもよく、両方を組み合わせてもよい。
支柱を介する連結では、横方向には、隣接するパネルの間に一本ずつ支柱を立て、支柱を介して各パネルを連結することにより、横方向には無限に延ばしていくことができる。また、高さ方向にはパネルを上に積み重ね、かつ同じ支柱に連結することでよい。そして、支柱に連結するための連結部は公知の構造の連結構造を任意に採用することができる。
支柱を用いない連結では、各壁用パネルに直接連結用の連結部を設けておけばよく、その構造は任意である。
【００１２】
つぎに、本発明の実施形態を図面に基づき説明する。
本明細書では、第１基準寸法と第２基準寸法をもつ二つのパネル群からなる実施形態を説明する。
【００１３】
（壁用パネル）
壁用パネルの基本構造を、図１に示す基本パネル１を例にとって説明する。
図示のパネル１は、第１基準寸法に属するもので、四角形の枠体１１と、その表裏両面に貼付した２枚の外板１２とからなる。
枠体１１は左右の縦桟１１ａと上下の横桟１１ｂを個別に製作した後で互いに結合したものでもよく、初めから一体に製作したものでもよい。枠体１１の大きさに併せて、補強用の桟１３を用いることは任意である。
外板１２は、枠体１１の縦横寸法と同じ板材であり、枠体１１への取付けは、ビス止めや溶接など任意の手段をとりうる。
【００１４】
枠体１１の左右の縦桟１１ａには、連結部１４が形成されている。
連結部１４の詳細を図２に基づき説明する。
図２は支柱２０を用いて隣接するパネル１，１を連結した状態の拡大図である。パネル１，１は端部のみ示されている。
連結部１４は、縦桟１１ａから外側に突出した２枚の突片で、縦桟１１ａとほぼ同じ上下長さを有している。また、その適所、たとえば上下両端部と中間部にはビス孔が形成され、ビスの螺合が可能となっている。
【００１５】
支柱２０には、連結板２１がネジ止めされており、この連結板２１には前記連結部１４の相手部材となる被連結部２２が形成されている。そして、ビス２３を連結部１４と被連結部２２に共に螺合することにより、パネル１，１を支柱２０を介して連結できるようになっている。
なお、上記の連結構造は一例であって、他の任意の構造をとくに制限なく採用できる。
【００１６】
上記パネルの構成素材には、とくに制限がなく、金属や合成樹脂、セメント成形板などを利用できる。金属には、鉄や銅、マグネシウム、アルミニウムなどの利用が可能であり、合成樹脂には、ポリエチレン板、ポリプロピレン板などが利用可能である。
【００１７】
地震等による耐倒壊性を高めるためには、軽量素材を用いるのが好ましく、強度と軽量性を共に満足するためには、軽金属、とくにアルミニウムが好ましい。枠体１１はアルミニウム押出形材であると、製造が容易であり、任意の断面形状が可能であって、かつ連結部１４も同時に成形できる。
外板１２は、アルミニウム板、もしくはアルミニウム板に合成樹脂層を積層したものが好適である。
なお、アルミニウム材料は、軽量性と耐腐食性を兼ね備えている。
また、支柱２０もパネルと同様の種々の材料を用いることができるが、強度と軽量性を共に満足するには軽金属、とくにアルミニウム製の押出形材が好ましい。
【００１８】
本発明では、上記基本パネル１以外にも後述する種々のパネルが用いられるが、基本構造は実質同様である。なお、各パネルの相違点については、後述するとおりである。
【００１９】
（壁用パネル群）
図３には、第１基準寸法のパネル群に属する各種パネル１〜４が示されている。これらの概要は、以下のとおりである。
【００２０】
１：基本パネル
壁構築の基本部材となるパネルであって、外板１２は特別の孔加工などは施されておらず、平坦な形状のままである。パネルの内部は空洞であり、最も軽量なタイプである。
２：角開口パネル
基本パネルに角形の開口２ａを形成したものである。図示の例では、開口２ａは２個所であるが、開口の数や位置は任意である。
【００２１】
３：丸開口パネル
基本パネルに丸形の開口３ａを形成したものである。図示の例では、開口３ａは４個であるが、開口の数や位置は任意である。
４：現場加工用パネル
基本パネルのパネル内部に発泡材、たとえば低発泡ポリスチレンを充填したものである。内部が密に充填されているので、強度が向上する外、現場で任意の形状に切断しても、内部の充填物を介して切断部分のシールが容易に行えるという利点がある。このパネルの構造の詳細は後述する。
【００２２】
第１基準寸法のパネル群は、上記の４種類に限られない。たとえば、縦格子を形成したものや、ルーバーを形成したものなど、その他種々のタイプをとくに制限なく用いることができる。
【００２３】
第１基準寸法としては、とくに制限なく、施工性などの面から任意の寸法を採用できるが、縦６００ｍｍ、横９１０ｍｍ、厚さ６０ｍｍなどを例示できる。支柱の高さは、パネルの高さに根入れ寸法２００〜３００ｍｍを足した高さとするのが代表的であるが、これに限られることはない。
【００２４】
第２基準寸法のパネル群を図４に基づき説明する。
５：基本パネル
構造は、第１基準寸法の基本パネル１と実質同一であるが、横寸法が小さくなっている。
６：丸開口パネル
構造は、第１基準寸法の丸開口パネル３と実質同一であるが、横寸法が小さくなっている。
【００２５】
７：照明用パネル
基本パネル５に照明装置を結合したものである。壁の照明部分に用いられる。
８：曲面パネル
曲面に形成したパネルであり、壁のコーナー部分などの構築に用いられる。
この曲面パネル８は図５に示すように、湾曲断面を有する湾曲単位パネル８ａを雄雌形の連結部１４を用いて複数枚連結して大きな面積の曲面パネルに形成したものである。図示の例では、６枚の湾曲単位パネル８ａを連結している。
各湾曲単位パネル８ａは、湾曲した表外板８１と湾曲した裏外板８２を枠体に結合したもので、枠体は左右両側の側板８３と中央の補強用隔壁８４からなる。また両側板８３には既述の連結部１４が形成されている。
各湾曲単位パネル８ａは断面が湾曲しているので、これらを結合すると湾曲した大きな曲面パネルにすることができる。
【００２６】
第２基準寸法に属するパネルは上記の種類に限られない。上記の外、丸開口や縦格子、ルーバーセットを形成したものも、用いることができ、さらには、例示してない種々のものも用いることができる。
【００２７】
第２基準寸法は、第１基準寸法と異なっており、図示のものは横寸法が第１基準寸法より短い５１０ｍｍであるが、この寸法に限られない。図示の例では高さが第１基準寸法と同じであるが、異なっていてもよい。
【００２８】
第１基寸法のパネルと第２基準寸法のパネルは、混在させて連結して、壁の高さや長さに変化を付けることに技術的意義があるので、組合せ可能な寸法と形状をもつことが必要である。
【００２９】
第１基準寸法および第２基準寸法に属す各パネルは上記１〜７のパネルのような四角形平板状のものに限らず、各種の形状のものを任意に用いることができる。曲面パネル８もその例である。
【００３０】
上記に示した各種パネルのうち、角開口パネル２と丸開口パネル３、６は外板に意匠性加工を施したものであり、照明用パネル７は機能性部材を取付けたものである。
本発明において、意匠性加工は種々のものを任意に採用でき、角開口や丸開口の外、角開口と丸開口の組み合わせ、縦格子、横格子、ガラスブロック埋め込みなどの加工、その他任意のものを付加することができる。
また、機能性部材は、照明装置のほか、壁スイッチや壁コンセント、手摺などを付加し、さらにその他任意のものを付加することができる。また、防音性などパネル自体の機能を高めることもできる。
【００３１】
（パネル壁）
つぎに、上記壁用パネルを用いた壁の構築方法を説明する。
図６はパネル壁の構築方法の一例を示している。図中の（２）〜（５）の符号は、下記（２）〜（５）の工程に対応している。
【００３２】
（１）支柱立設工程
建物の床下に基礎Ｂを構築して、支柱２０を必要本数だけ立設する。
（２）連結工程
４本の支柱２０の間に、各パネルを連結する。この連結には図２に示す連結部１４へのビス止めにより行われる。用いたパネルは、第１基準寸法の基本パネル１と丸開口パネル３、第２基準寸法の丸開口パネル６と照明用パネル７および曲面パネル８である。
【００３３】
（３）下地塗装
連絡された各パネル１，３，６，７，８の表面に下地調整材３１を施す。この下地調整材３１は、次工程で行う上塗り化粧材が確実に付着し、剥落等が生じないようにするため行われる。
代表的には、合成樹脂（たとえば、エポキシ樹脂）や防錆顔料を主成分とするプライマーが用いられる。これらの下地調整材３１は金属表面への付着性の高いのが特徴である。なお、下地塗装の前に連結部分の目地を平滑にする目地処理も必要に応じて行われる。この目地処理の詳細は後述する。
【００３４】
（４）上塗り化粧材塗布
下地層の表面に上塗り化粧材３２を塗布する。上塗り化粧材の代表的なものは、バインダーとしての合成樹脂と砂とパルプを主成分とするものなどが用いられ、鏝仕上げ、ローラー塗装、吹付け仕上げ等の手法で塗布される。この上塗り化粧材は砂とパルプを含むことから自然の風合いと嵩高感を有する点に特徴がある。
特別の用途を有しない壁としてなら、上塗り化粧材３２の乾燥固定により、施工は完了する。
【００３５】
なお、下地調整材３１を塗布したうえで上塗り化粧材３２を塗布する以外に、下地調整材３１を塗布しないで上塗り化粧材３２を直接パネルの表面に塗布してもよい。すなわち、上塗り化粧材３２がパネルの表面に直接塗布しても剥落等の可能性が生じないものであれば、下地調整材３１は不要であり、たとえば樹脂系（エポキシ樹脂系塗料など）の上塗り化粧材であれば、直接塗布が可能となる。
【００３６】
さらになお、上塗り化粧材３２の代りに壁紙などのシートを貼り付けてもよく、タイルなどを貼り付けてもよい。
【００３７】
（５）仕上げ加工
完成したパネル壁に手摺を取り付けたり、壁スイッチや壁コンセントを取付け、更にはデザイン仕上げを目的とした表面塗装を行ってもよい。手摺を取付けるには、図３に示す現場加工用パネル４を用いて希望する大きさと形状の手摺を取付けることができる。
【００３８】
（可動式のパネル壁）
前述した壁の構築方法の支柱立設工程では、基礎Ｂに立設した支柱２０を用いて固定壁を施工したが、支持脚を用いて基礎Ｂを構築しない可動式の壁（たとえば、パーティション）の施工も可能である。
図７に示す符号２５は支持脚であり、ベースプレート２６とその中央部に立設された挿入柱２７とからなる。挿入柱２７の基端はベースプレート２６に溶接等で固定されている。
図８に示すように、支持脚２５は角筒状の支柱２０の内部に挿入され、ベースプレート２６は床面に載置される。
【００３９】
図９はパーティションとしての使用例を示している。
Ｄは応接セットであり、Ｗは支持脚２５を用いて構築したパーテーションである。軽量で、美的外観に富み、建物内のデザインに合致したパーテーションとなる。
上記の外、建物内の部屋を仕切る固定壁なども、任意に構築することができる。固定壁とする場合、天井まで達する高さとしてもよいし、天井との間に隙間を有する高さとしてもよい。
【００４０】
（曲面パネル）
図１０は曲面パネル８の他の実施形態を示している。
（Ａ）は２本の支柱２０，２０の間に１本の湾曲単位パネル８ａを取付けたものである。この実施形態の湾曲角度θは１５°である。
（Ｂ）は、２本の支柱２０，２０の間に３本の湾曲単位パネル８ａを取付けたものであり、湾曲角度θは４５°である。
（Ｃ）は、２本の支柱２０，２０の間に５本の湾曲単位パネル８ａを取付けたものであり、湾曲角度θは７５°である。
各湾曲単位パネルの寸法を同一とした場合、連結されて出来た曲面パネル８の幅Ｗは、たとえば、（Ａ）が２８６ｍｍ、（Ｂ）が５３４ｍｍ、（Ｃ）が６５７ｍｍとなる。
このように曲面パネル８は、連結する湾曲単位パネル８ａの数を任意に選択することによって、曲面パネル８の湾曲角度θ、すなわちその幅寸法Ｗを変えることができる。
【００４１】
（意匠性加工を施したパネル）
図１１は、角開口パネル２に意匠性加工を付与した例であり、角開口２ａにガラス調部材２Ｂを嵌合したものである。ガラス調部材２Ｂは２組一対を用い、１個の角開口２ａに表裏両面から嵌合させるのが好ましい。
ガラス調部材２Ｂは、透明のものでも、着色したものでもよい。素材には透明性や着色可能性を有するガラス、ポリカーボネート樹脂、アクリル樹脂などがあげられるが、これらに限定されるものではない。
【００４２】
図１２は、丸開口パネル３に意匠性加工を付与した例であり、丸開口３ａにガラス調部材３Ｂを嵌合したものである。ガラス調部材３Ｂは２組一対を用い、１個の丸開口３ａに表裏両面から嵌合させるのが好ましい。
ガラス調部材３Ｂは、透明のものでも、着色したものでもよい。素材には透明性や着色可能性を有するガラス、ポリカーボネート樹脂、アクリル樹脂などがあげられるが、これらに限定されるものではない。
【００４３】
図１１および図１２の実施形態では、角開口２ａや丸開口３ａにガラス調部材２Ｂ，３Ｂを嵌合させたが、この代りにタイル等のサイディング材を開口２ａ，３ａ内に嵌合させてもよい。この場合、タイル調のデザインが可能となる。
【００４４】
（機能性をもたせたパネル）
前記した各種パネル１〜８は、内部が空洞であるものが基本であるが、これに各種の機能を付与することもできる。
付与する機能としては、防音や蓄光などを例示できるが、これらに限られることはない。
防音機能を果たすには、パネル１〜８の内部に吸音材を封入することで実現できる。
蓄光機能を果たすには、蓄光塗料を塗布することで実現できる。
【００４５】
（現場加工用パネル）
図３の符号４で示した現場加工用パネルの詳細を図１３〜図１５に基づき説明する。
図示のパネル４は、枠体１１と、その表裏両面に貼付した２枚の外板１２とからなる。枠体１１は左右２本の縦桟１１ａからなる。なお、上下の横桟は用いられていない。これは、施工現場での切断加工の都合による。
外板１２は、枠体１１の縦横寸法と同じ板材であり、枠体１１への取付けは、ビス止めや溶接など任意の手段をとりうる。
【００４６】
２本の縦桟１１ａ、１１ａと２枚の外板１２で囲まれたパネル内部には、軽量発泡材１５が密に充填されている。軽量発泡材１５としては、自己消火性を有する低発泡ポリスチレンなどの軽量で切断加工の容易なものが用いられている。
【００４７】
パネル４の左右の縦桟１１ａには、外向きに突出した連結部１４が形成されている。連結部１４を介して支柱２０に連結できるようになっている。
【００４８】
つぎに、本発明の現場加工用パネル４を用いて構築したパネル壁の一例を図１６に基づき説明する。
（１）図に示すように、現場加工用パネル４に施したいデザインに合わせた罫書線Ｌを入れる。
（２）図に示すように、ジグソーなどの任意のハンド工具で切断する。切断面には自己消火性を有する低発泡ポリスチレンなどの軽量発泡材１５の切断面が見えている。
（３）図に示すように、切断面に同形状のアルミニウム薄板５１を当てて、接着その他の手段で貼付する。アルミニウム薄板としては、０．２〜０．５ｍｍ厚のものが、加工の容易さと外板の一種としての強度を兼ね備えるので好ましい。図示の実施例では０．３ｍｍ厚のものを使用した。このアルミニウム薄板５１が特許請求の範囲にいう軽金属薄板である。
【００４９】
なお、アルミニウム薄板５１と外板１２との境目には、目地処理として、薄いアルミニウムテープを貼り付けてもよい。その後は、（４）図に示すように、他のパネル（たとえば、基本パネル１や丸開口パネル３など）と共に２本の支柱２０、２０に連結する。
【００５０】
このようにして、パネル壁の物理構造が出来上がると、各パネル３，４の表面に下地調整材３１を塗装する。つぎに、下地層の表面に上塗り化粧材３２を塗布する。上塗り化粧材３２は前記実施形態と同様のものを使用できる。なお、上塗り化粧材３２が剥落しにくい樹脂系（たとえばエポキシ樹脂系）であれば、下地調整材３１を用いることなく塗布しても、剥落等が生ずることはない。
【００５１】
このように構成することで、モジュール化されたパネルを用いるパネル壁にも、任意のデザインの採用が可能となっている。また、パネルの内部に軽量発泡材が充填されているので強度が高く、上塗り化粧材３２を塗布して美麗な外観に仕上げることができる。
【００５２】
なお、現場加工用パネル４の切断面に同形状のアルミニウム薄板を接着し、目地処理してから塗布工程に移る以外に、目地処理をすることなく塗布工程を行ってもよい。すなわち、パネル４の外板と切断面に上塗り化粧材３２を直接塗布してもよい。
【００５３】
（目地処理）
つぎに、目地処理の詳細を説明する。
図１７は端柱としての支柱２０にパネル１を連結した状態の拡大図である。パネル１は端部のみ示されている。
図１８は主柱としての支柱２０の両側にパネル１，１を結合した状態を示しており、図１９は角柱としての支柱２０に対し２枚のパネル１，１が直交して結合された状態を示している。
図１７〜図１９のいずれの場合も、目地処理方法は同様である。
【００５４】
目地処理には、カバー４１が用いられるが、そのカバー４１の取付構造は、つぎのとおりである。
前記連結板２１の両端部には断面視で凹状となる被連結部２２が形成され、その両先端部には内側に向け突出した係止突起２４，２４が形成されている。
一方、カバー４１は、支柱２０とパネル１の間の上下長さを有する帯状部材であり、その内面には２ヵ所の係止片４２、４２が形成されている。この係止片４２、４２は弾力性を有し、それが撓みながら前記係止突起２４、２４の間を通過し、通過後は元の形状に復帰して、外れないように係合するというものである。このような弾性型係止片を用いると、手で押し込むだけで、カバー４１を取付けることができる。
【００５５】
取付けた状態でのカバー４１の外表面は、支柱２０の外表面およびパネル１の外表面（外板１２の外表面）と面一になっている。すなわち、外表面の高さは全く同一であり、支柱２０やパネル１との間で段差は生じていない。カバー４１と支柱２０との間、およびカバー４１とパネル１との間には、わずかな線状の溝が生ずるが、これが目地となっている。
【００５６】
上記の目地を平坦に整形する目地処理する際は、薄膜テープ、たとえばアルミニウムテープ（厚さ０．０５〜０．１０ｍｍ）を目地部分に貼付する。具体的には、アルミニウムテープ５２をカバー４１とその側方に位置する支柱２０のカバー側近傍およびカバー４１の他方に位置するパネル１のカバー側近傍からなる領域に貼付する。この結果、カバー４１とその両サイドの領域はアルミニウムテープ５２で覆われて、目地溝は全く現われなくなる。因みに本実施例において、カバー４１の幅は１４ｍｍ、アルミニウムテープ５２は厚さ０．０８ｍｍ、幅５０ｍｍであり、アルミニウムテープ５２によって、外板１２を枠体１１に取付けるビスの頭部も覆い隠している。
【００５７】
以上のようにして、目地処理を終えると、アルミニウムテープ５２の外表面から、下地調整材と上塗り化粧材をその順で塗布する。その塗布の詳細は既述のとおりである。なお、上塗り化粧材３２が剥落しにくい樹脂系（たとえばエポキシ樹脂系）であれば、下地調整材３１を用いることなく塗布しても、剥落等が生ずることはない。
【００５８】
上記のように目地処理を実行した結果、アルミニウムテープ５２は、パネル１と同質素材であるので、同一の下地材で下地処理ができ、後工程での上塗り化粧材を塗布しても剥落は生じにくい。そして、下地塗装し上塗り化粧材を塗布すると、他の平坦部分の仕上がりと全く同様の仕上りとなって、美麗な外観が得られる。
また、このように仕上げたパネル壁は、自然の風合いや嵩高感を有するものとなる。
【００５９】
（折り曲げて連結したパネル壁）
図２０は、折り曲げて連結したパネル壁の一例を示している。
左側のパネル壁は、基本パネル１と丸開口パネル３と基本パネル１を端柱としての支柱２０とコーナー柱６０で保持したものであり、右側のパネル壁は右端の支柱２０と中央のコーナー柱６０とで同一構成のパネル１，３，１を保持したものである。
図示のパネル１，１は、コーナー柱６０を境にして、左側のパネル１と右側のパネル１が角度７０°〜１８０°の範囲で連結角度θを変えることができる。
【００６０】
図２１および図２２に基づき、本発明に係るコーナー柱６０とパネル１との間の連結構造を説明する。
コーナー柱６０の柱本体２０ａは支柱２０と同一構成の柱部材である。
柱本体２０ａには、可変連結部６１が設けられている。可変連結部６１は、凸形円弧面６２を有する柱状部材であり、円弧面６２は角度にして約２７０°にわたっている。円弧でない部分はＬ形に形成された取付部６３となっており、柱本体２０ａの角部にぴったり合わさってビス６４で固定されている。
上記の可変連結部６１は、柱本体２０ａと別体のものを取り付けてもよく、柱本体２０ａに一体に成形したものであってもよい。
【００６１】
一方、パネル側に設けられる被連結部６５は、凹形円弧面６６を有する柱状部材であり、円弧面６６は角度にして140°位にわたっている。凹形円弧面６６は、面状に形成された面接触部６６ａと線状に形成された線接触部６６ｂからなるが、線接触部６６ｂはビス６７を通すために形成されている。
円弧面６６の背面側には、パネル１側の連結部１４と連結するための連結板６８が形成されている。
【００６２】
前記連結板６８の両端部は断面視で凹状に形成され、その両先端部には内側に向け突出した係止突起６９，６９が形成されている。そして、係止突起６９、６９には、カバー４１が嵌められている。
このカバー４１は、支柱２０とパネル１の間の被連結部２２に嵌められたものと実質同一部材である。このカバー４１は、手で押し込むだけで、連結板６８の外側面に嵌め込むことができる。
【００６３】
図２１に示すように、コーナー柱６０の可変連結部６１における凸形円弧面６２に対しパネル１の被連結部６５における凹形円弧面６６を沿わせ、かつ円弧方向にズラせると、連結角度を変えることができる。そして、その状態でビス６７で結合すると、任意の連結角でパネル１をつなぎ、パネル壁を構築できる。
図２３は、コーナー柱６０を挟んで隣接するパネル１，１を直列に連結した状態を示している。
図２４は、コーナー柱６０を挟んで、隣接するパネル１，１を７０°の角度で交差するように連結した状態を示している。
このように、本発明によれば、パネル１，１を任意の連結角度で連結することができる。
【００６４】
つぎに、可変連結部６１と被連結部６５の間の目地処理の詳細を、図２３に基づき説明する。
可変連結部６１と被連結部６５の間には、小さな隙間があるが、この隙間の周辺を覆うように薄膜テープ、たとえばアルミニウムテープ５２（厚さ０．０５〜０．１０ｍｍ）を貼付する。アルミニウムテープ５２の貼付によって隙間は覆い隠され、その部分は平坦となる。
なお、目地処理の要領は、連結角度を変えた図２１や図２４の場合も同様である。
【００６５】
以上のようにして、目地処理を終えると、アルミニウムテープ５２の外表面から、下地調整材と上塗り化粧材をその順で塗布する。その塗布の詳細は既述のとおりである。なお、上塗り化粧材３２が剥落しにくい樹脂系（たとえばエポキシ樹脂系）であれば、下地調整材３１を用いることなく塗布しても、剥落等が生ずることはない。
【００６６】
上記のように目地処理を実行した結果、アルミニウムテープ５２は、パネル１と同質素材であるので、同一の下地材で下地処理ができ、後工程での上塗り化粧材を塗布しても剥落は生じにくい。そして、下地塗装し上塗り化粧材を塗布すると、他の平坦部分の仕上がりと全く同様の仕上りとなって、美麗な外観が得られる。
また、このように仕上げたパネル壁は、自然の風合いや嵩高感を有するものとなる。
【符号の説明】
【００６７】
１〜８  パネル
１１    枠体
１２    外板
１４    連結部
１５    軽量発泡材
２０    支柱
２１    連結板
２２    被連結部
２４    係止突起
２５    支持脚
３１    下地調整材
３２    上塗り化粧材
４１    カバー
４２    係止片
５１    アルミニウム薄板
５２    アルミニウムテープ
６０    コーナー柱
６１    可変連結部
６２    凸形円弧面
６５    被連結部
６６    凹形円弧面
６８    連結板
【図１】
0005973239.tif 000002
【図２】
0005973239.tif 000003
【図３】
0005973239.tif 000004
【図４】
0005973239.tif 000005
【図５】
0005973239.tif 000006
【図６】
0005973239.tif 000007
【図７】
0005973239.tif 000008
【図８】
0005973239.tif 000009
【図９】
0005973239.tif 000010
【図１０】
0005973239.tif 000011
【図１１】
0005973239.tif 000012
【図１２】
0005973239.tif 000013
【図１３】
0005973239.tif 000014
【図１４】
0005973239.tif 000015
【図１５】
0005973239.tif 000016
【図１６】
0005973239.tif 000017
【図１７】
0005973239.tif 000018
【図１８】
0005973239.tif 000019
【図１９】
0005973239.tif 000020
【図２０】
0005973239.tif 000021
【図２１】
0005973239.tif 000022
【図２２】
0005973239.tif 000023
【図２３】
0005973239.tif 000024
【図２４】
0005973239.tif 000025